(57)【要約】【課題】構成部材の追加または大型化を伴うことなくパララックスに対処可能で、装置の小型化、低コスト化を図り得る撮像装置を提供する。【解決手段】主要被写体検出部３２ａにより、固体撮像素子２１ａによって得られる撮影画像信号から主要被写体を検出し、主要被写体距離算出部３４ｂにより検出された主要被写体までの距離を算出し、判定部３２ａにより、主要被写体までの距離に基づきパララックス量を得て、該パララックス量に基づき、撮影光学系の画角内であってファインダ装置の画角外となる外領域に主要被写体があるか否かを判定し、外領域に主要被写体があると判定された場合には、制御部３２ｂにより、外領域Ａｏｕｔに主要被写体が撮影されることを報知する情報（警告メッセージ）を所定の画像として表示部６１に表示させる。【選択図】図２
2013117608.tif 000002
【特許請求の範囲】
【請求項１】
撮影光学系と、前記撮影光学系を介して撮像を行う撮像素子と、前記撮影光学系とは異なる光学系を介して被写体を観察可能なファインダ装置と、を有する撮像装置であって、
前記撮像素子により撮像される被写体までの距離に基づいて、前記撮影光学系の画角が前記ファインダ装置の画角の周縁を跨ぐか否かを判定する判定部と、
前記判定部の判定結果に応じて前記撮像装置の動作を制御する制御部と、を備え、
前記ファインダ装置は、画像を表示する表示部を含み、被写体側ファインダ窓から入射し前記異なる光学系を介して接眼窓に入射する光像と前記表示部に表示される画像とが重畳された像を前記接眼窓から観察可能に構成されたものであり、
前記制御部は、前記撮影光学系の画角が前記ファインダ装置の画角の周縁を跨ぐ場合に、前記表示部に所定の画像を表示させる制御を行う撮像装置。
【請求項２】
請求項１記載の撮像装置であって、
前記判定部は、前記撮影光学系の画角が前記ファインダ装置の画角の周縁を跨ぐ場合に、更に前記撮影光学系の画角内であって前記ファインダ装置の画角外となる外領域に主要被写体があるか否かを判定し、
前記制御部は、前記撮影光学系の画角が前記ファインダ装置の画角の周縁を跨ぎ、かつ、前記外領域に主要被写体があると判定された場合に、前記外領域にある主要被写体が撮影されることを報知する情報を前記所定の画像として前記表示部に表示させる撮像装置。
【請求項３】
請求項２記載の撮像装置であって、
前記外領域にある主要被写体が撮影されることを報知する情報は、前記外領域にある主要被写体の識別情報を含む撮像装置。
【請求項４】
請求項１記載の撮像装置であって、
前記判定部は、前記撮影光学系の画角が前記ファインダ装置の画角の周縁を跨ぐ場合に、更に前記撮影光学系の画角内であって前記ファインダ装置の画角外となる外領域に主要被写体があるか否かを判定し、
前記制御部は、前記撮影光学系の画角が前記ファインダ装置の画角の周縁を跨ぎ、かつ、前記外領域に主要被写体があると判定された場合に、前記外領域の主要被写体を前記ファインダ装置の画角内に入れるための前記撮像装置の移動方向を示す情報を前記所定の画像として前記表示部に表示させる撮像装置。
【請求項５】
請求項１記載の撮像装置であって、
前記判定部は、前記撮影光学系の画角が前記ファインダ装置の画角の周縁を跨ぐ場合に、更に前記前記撮影光学系の画角内であって前記ファインダ装置の画角外となる外領域に主要被写体があるか否かを判定し、
前記制御部は、前記撮影光学系の画角が前記ファインダ装置の画角の周縁を跨ぎ、かつ、前記外領域に主要被写体があると判定された場合に、前記撮影光学系の画角を示す枠を前記所定の画像として前記表示部に表示させる撮像装置。
【請求項６】
請求項１〜５のいずれか１項記載の撮像装置であって、
自動焦点調節の指示があったときにのみ、前記判定部を動作させる撮像装置。
【請求項７】
撮影光学系と、前記撮影光学系を介して撮像を行う撮像素子と、前記撮影光学系とは異なる光学系を介して被写体を観察可能なファインダ装置と、を有する撮像装置の制御方法であって、
前記撮像素子により撮像される被写体までの距離に基づいて、前記撮影光学系の画角が前記ファインダ装置の画角の周縁を跨ぐか否かを判定する判定ステップと、
前記判定ステップの判定結果に応じて前記撮像装置の動作を制御する制御ステップと、を備え、
前記ファインダ装置は、画像を表示する表示部を含み、被写体側ファインダ窓から入射し前記異なる光学系を介して接眼窓に入射する光像と前記表示部に表示される画像とが重畳された像を前記接眼窓から観察可能に構成されたものであり、
前記制御ステップでは、前記撮影光学系の画角が前記ファインダ装置の画角の周縁を跨ぐ場合に、前記表示部に所定の画像を表示させる制御を行う撮像装置の制御方法。
【発明の詳細な説明】
【技術分野】
【０００１】
本発明は、撮影光学系と光学ファインダとの間のパララックスに対処可能な撮像装置及び撮像装置の制御方法に関する。
【背景技術】
【０００２】
撮影光学系と、撮影光学系とは異なる光学系を介して被写体を観察可能な光学ファインダ（ＯＶＦ）とを備える撮像装置では、撮影光学系と光学ファインダとの間にパララックス（視差）が生じる。
【０００３】
このようなパララックスによる問題を改善するために、特許文献１では、被写体距離と焦点距離に基づき撮影光学系と光学ファインダの各々の光学系の画角を求め、ファインダ光学像に対して撮影光学系による撮影範囲が、上限値よりも大きくなる場合には望遠ズーム操作を制限し、下限値よりも小さくなる場合には広角ズーム操作を制限する技術が提案されている。
【０００４】
また、特許文献２では、測距結果によってファインダ切換え動作を行った後、撮影直前に再度測距してパララックス自動補正を行う手法が提案されている。
【０００５】
また、特許文献３では、光学ファインダによる観察領域よりも撮影光学系による撮影領域を大きくし、パララックスに応じて、撮像素子の有効画素からの切り出し領域を変更したり、画像メモリの記録用切り出し部位を変更したりする技術が提案されている。
【０００６】
さらに、特許文献４では、撮像素子によって得られる最大画素数の画像データよりも少ない小画像データを部分的に取り出す際に、光学ファインダによる観察領域が撮像素子による最大撮影領域よりも狭い領域となるように光学式ファインダの観察領域を変更する手法が提案されている。
【０００７】
さらに、特許文献５では、撮影光学系と光学ファインダとの間のパララックスが大きくなる近接撮影時には、警告を行う手法が提案されている。
【先行技術文献】
【特許文献】
【０００８】
【特許文献１】特開２００８−９６５８４号公報
【特許文献２】特開２００３−２２２９３７号公報
【特許文献３】特開２００４−３５４４３９号公報
【特許文献４】特開２００７−１１０３８９号公報
【特許文献５】特開平１１−１５０６１号公報
【発明の概要】
【発明が解決しようとする課題】
【０００９】
撮影光学系と、撮影光学系とは異なる光学系を介して被写体を観察可能な光学ファインダとを備える撮像装置では、撮影光学系の画角が光学ファインダの画角の周縁を跨ぐ場合がある。このような場合、光学ファインダで見えている被写体以外の被写体が撮影されることになり、撮影者の意図しない撮影が行われることになる。しかしながら、特許文献１〜４は、いずれも、撮影光学系の画角が光学ファインダの画角の周縁を跨ぐ場合を想定しておらず、この場合の対処法については開示していない。特許文献５は、被写体距離が所定値以下になったときに警告を行っているだけであり、撮影光学系の画角が光学ファインダの画角の周縁を跨ぐ場合に警告を行っているものではない。
【００１０】
なお、光学ファインダの画角を撮影光学系の画角よりも十分に広くしておけば、光学ファインダの画角内で撮影光学系の画角が動くことになるため、撮影光学系の画角が光学ファインダの画角の周縁を跨ぐ事態は発生しない。しかし、光学ファインダの画角を大きくしすぎると、撮影光学系の画角内の被写体が小さくなり、この被写体を確認しづらくなる。そのため、光学ファインダの画角と撮影光学系との画角の大きさの差はあまり大きくしたくない。
【００１１】
本発明は、上記事情に鑑みてなされたものであり、撮影光学系の画角が光学ファインダの画角の周縁を跨ぐようなパララックスが生じる場合でも、このパララックスに対処して意図しない撮影が行われるのを防ぐことのできる撮像装置及び撮像装置の制御方法を提供することを目的とする。
【課題を解決するための手段】
【００１２】
本発明の撮像装置は、撮影光学系と、前記撮影光学系を介して撮像を行う撮像素子と、前記撮影光学系とは異なる光学系を介して被写体を観察可能なファインダ装置と、を有する撮像装置であって、前記撮像素子により撮像される被写体までの距離に基づいて、前記撮影光学系の画角が前記ファインダ装置の画角の周縁を跨ぐか否かを判定する判定部と、前記判定部の判定結果に応じて前記撮像装置の動作を制御する制御部と、を備え、前記ファインダ装置は、画像を表示する表示部を含み、被写体側ファインダ窓から入射し前記異なる光学系を介して接眼窓に入射する光像と前記表示部に表示される画像とが重畳された像を前記接眼窓から観察可能に構成されたものであり、前記制御部は、前記撮影光学系の画角が前記ファインダ装置の画角の周縁を跨ぐ場合に、前記表示部に所定の画像を表示させる制御を行うものである。
【００１３】
本発明の撮像装置の制御方法は、撮影光学系と、前記撮影光学系を介して撮像を行う撮像素子と、前記撮影光学系とは異なる光学系を介して被写体を観察可能なファインダ装置と、を有する撮像装置の制御方法であって、前記撮像素子により撮像される被写体までの距離に基づいて、前記撮影光学系の画角が前記ファインダ装置の画角の周縁を跨ぐか否かを少なくとも判定する判定ステップと、前記判定ステップの判定結果に応じて前記撮像装置の動作を制御する制御ステップと、を備え、前記ファインダ装置は、画像を表示する表示部を含み、被写体側ファインダ窓から入射し前記異なる光学系を介して接眼窓に入射する光像と前記表示部に表示される画像とが重畳された像を前記接眼窓から観察可能に構成されたものであり、前記制御ステップでは、前記撮影光学系の画角が前記ファインダ装置の画角の周縁を跨ぐ場合に、前記表示部に所定の画像を表示させる制御を行うものである。
【発明の効果】
【００１４】
本発明によれば、撮影光学系の画角が光学ファインダの画角の周縁を跨ぐようなパララックスが生じる場合でも、このパララックスに対処して意図しない撮影が行われるのを防ぐことのできる撮像装置及び撮像装置の制御方法を提供することができる。
【図面の簡単な説明】
【００１５】
【図１】本発明の第一実施形態を説明するためのデジタルカメラの外観斜視図
【図２】図１に示すデジタルカメラ１０の内部ブロック構成図
【図３】ＯＶＦ光学像領域と実際に撮影される領域との関係を例示する説明図
【図４】被写体距離とパララックス量との関係を例示する説明図
【図５】表示部６１に表示されるメッセージを例示する説明図
【図６】図１に示すデジタルカメラ１０の撮影モード時の動作を説明するためのフローチャート
【図７】表示部６１に表示される識別情報を例示する説明図
【図８】表示部６１に表示される移動方向を示す情報を例示する説明図
【図９】第二実施形態のデジタルカメラ１１の内部ブロック構成図
【図１０】パララックス量ΔＸ２，ΔＹ２に応じて設定される縮小倍率を例示する説明図
【図１１】デジタルカメラ１１の撮影モード時の動作を説明するためのフローチャート
【図１２】ＯＶＦ光学像領域と実際に撮影される領域との関係を例示する説明図
【図１３】表示部６１に表示される実際の撮影領域Ａｐの枠Ｆｐを例示する説明図
【図１４】第三実施形態のデジタルカメラの撮影モード時の動作を説明するためのフローチャート
【図１５】パララックス量が大きいときの最終的に記録される領域を例示する説明図
【発明を実施するための形態】
【００１６】
以下、本発明の実施形態について図面を参照して説明する。以下では撮像装置としてのデジタルカメラについて説明する。
〔第一実施形態〕
【００１７】
図１は、本発明の第一実施形態を説明するためのデジタルカメラの外観斜視図である。
【００１８】
デジタルカメラ１０は、矩形の筐体１１を備える。筐体１１の正面中央には、レンズ鏡筒１２が設けられている。レンズ鏡筒１２内に、撮影レンズ（焦点位置合わせ用のフォーカスレンズやズームレンズ等）１３が収納されている。
【００１９】
筐体１１の上端面の片側にはシャッターレリーズボタン１４が設けられている。筐体１１の上端面のシャッターレリーズボタン１４とは反対側の角には、ファインダ装置１５が設けられている。ファインダ装置１５の被写体側ファインダ窓１６は、筐体１１正面の角部に設けられている。被写体側ファインダ窓１６と対向する筐体１１の背面側の部分に、ファインダ装置１５の接眼窓１７が設けられている。
【００２０】
図２は、図１に示すデジタルカメラ１０の内部ブロック構成図である。
【００２１】
同図において、デジタルカメラ１０は、ＣＣＤ型の固体撮像素子２１ａと、固体撮像素子２１ａの前段に置かれた撮影光学系と、固体撮像素子２１ａの出力信号（撮影画像信号）をアナログ信号処理するＣＤＳＡＭＰ２５ａと、ＣＤＳＡＭＰ２５ａの出力信号をデジタル信号に変換するアナログデジタル（Ａ／Ｄ）変換器２６ａと、ファインダ装置１５とを備える。ここで撮影光学系は、撮影レンズ１３（ズームレンズを１３ａ、フォーカスレンズを１３ｂとしている）と、絞り（アイリス）２４と、を含んで構成されている。
【００２２】
なお、固体撮像素子２１ａは、図２の例ではＣＣＤ型であるが、ＣＭＯＳ型等の他の形式の固体撮像素子でも良い。
【００２３】
ファインダ装置１５は、被写体側ファインダ窓１６と、接眼窓１７と、ＯＶＦシャッタ６２と、焦点距離固定の対物レンズ６５と、ハーフミラー６３を内部に持つプリズム６６と、表示部６１と、を備える。被写体側ファインダ窓１６と接眼窓１７との間には、ＯＶＦシャッタ６２と、対物レンズ６５と、プリズム６６とが、ファインダ装置１５の入射光軸Ｌに沿ってこの順に配置されている。
【００２４】
ＯＶＦシャッタ６２は、光軸Ｌに沿う光路上に挿脱可能に設けられている。ＯＶＦシャッタ６２は、ファインダ装置１５の光路上に挿入された閉状態と、ファインダ装置１５の光路上から退避させられた開状態と、をとることができる。
【００２５】
閉状態では、ＯＶＦシャッタ６２は、被写体側ファインダ窓１６を覆う位置に挿入される。このため、この閉状態では、被写体側ファインダ窓１６に入射した光はＯＶＦシャッタ６２によって遮断され、当該光の接眼窓１７への入射が禁止される。
【００２６】
また開状態では、ＯＶＦシャッタ６２は、被写体側ファインダ窓１６を覆わない位置に退避させられる。このため、この開状態では、被写体側ファインダ窓１６に入射した光はＯＶＦシャッタ６２によって遮断されずに通過し、当該光が接眼窓１７に入射する。
【００２７】
なお、ＯＶＦシャッタ６２は、光を吸収又は反射する板状の部材を機械的に出し入れするものであってもよいし、電気的に透過率を制御できる素子（例えば液晶シャッタ）であってもよい。
【００２８】
ハーフミラー６３は、光軸Ｌに対して斜め４５度に設置されている。
【００２９】
表示部６１は、例えば液晶表示装置によって構成されており、ハーフミラー６３に隣接しかつ光軸Ｌに対し平行に配置されている。表示部６１は、表示画面上において情報を表示させたい部分だけバックライトの光を透過させ、それ以外の部分のバックライト光は透過させないようにする（黒表示にする）ことで、情報の表示を行う。
【００３０】
これにより、ＯＶＦシャッタ６２が開状態でかつ表示部６１に画像が表示されている状態では、ハーフミラー６３を透過した被写体からの入射光（ＯＶＦ光学像）と、表示部６１から発せられハーフミラー６３で反射した光（表示部６１に表示されるＥＶＦ画像）とが重畳された像を、接眼窓１７から確認することができる。
【００３１】
ＯＶＦシャッタ６２を開状態としかつ表示部６１を非表示状態（オフ）にすることで、ファインダ装置１５は光学式ビューファインダ（ＯＶＦ）として使用される。また、ＯＶＦシャッタ６２を閉状態としかつ表示部６１を表示状態（オン）にすることで、ファインダ装置１５は電子ビューファインダ（ＥＶＦ）として使用される。
【００３２】
なお、ファインダ装置１５は、ＯＶＦシャッタ６２が開状態のときに、表示部６１に表示する画像と被写体側ファインダ窓１６から見える被写体像（ＯＶＦ光学像）とが重畳された像を、接眼窓１７を通して観察可能なものであればよく、他の構造を採用することもできる。例えば、図２のファインダ装置１５の構成からプリズム６６と表示部６１を削除し、プリズム６６があった位置に、シースルー型の表示部をその表示面が光軸Ｌに対して垂直になるように配置したものであってもよい。
【００３３】
デジタルカメラ１０は、更に、Ａ／Ｄ変換器２６ａから出力されるデジタルの撮影画像信号を取り込む画像入力コントローラ３１と、このデジタルカメラ１０の全体を統括制御する演算処理装置（ＣＰＵ）３２と、画像入力コントローラ３１によって取り込まれた撮影画像信号を画像処理して撮影画像データを生成する画像信号処理回路３３と、ワークメモリとして使用するＲＡＭや各種データを記憶するＲＯＭ等を含むメモリ３６と、画像処理後の撮影画像データをＪＰＥＧ画像やＭＰＥＧ画像に圧縮する圧縮処理回路３９と、カメラ背面等に設けられた液晶表示装置４０に撮影画像やライブビュー画像を表示させたり、各種画像をファインダ装置１５内の表示部６１に表示させたりする表示制御部４１と、記録媒体４２に撮影画像データを記録するメディアコントローラ４３と、これらを相互接続するバス４４と、を備える。
【００３４】
ＣＰＵ３２には、図１に示したシャッターレリーズボタン１４と図示しないズームボタン等を含む操作部５０が接続されている。この操作部５０を介して入力されるユーザ指示に基づき、ＣＰＵ３２はデジタルカメラ１０を制御する。
【００３５】
またＣＰＵ３２は、該ＣＰＵ３２上で実行されるプログラムの機能的まとまりとして、判定部３２ａと、制御部３２ｂと、ＡＦ（自動焦点調節）制御部３２ｃと、被写体検出部３２ｄと、を備える。
【００３６】
ＡＦ制御部３２ｃは、コントラスト検出方式や位相差検出方式等の手法により、合焦位置を決定し、その合焦位置にフォーカスレンズ１３ｂを移動させるＡＦ制御を行う。
【００３７】
判定部３２ａは、ＡＦ制御部３２ｃによって決定されたフォーカスレンズ１３ｂの合焦位置から、焦点の合っている被写体までの距離を求め、この距離に基づいて、撮影光学系の画角がファインダ装置１５の画角の周縁を跨ぐか否かを判定する。
【００３８】
制御部３２ｂは、判定部３２ａの判定結果に応じてデジタルカメラ１０の動作を制御する。本実施形態では、制御部３２ｂは、撮影光学系の画角がファインダ装置１５の画角の周縁を跨ぐ場合に、表示部６１に所定の画像を表示させる制御を行う。
【００３９】
被写体検出部３２ｄは、固体撮像素子２１ａにより撮像して得られる撮影画像信号から主要被写体を検出する。ここで言う主要被写体とは、例えば人物の顔等の撮影の主対象として想定される被写体である。
【００４０】
ＣＰＵ３２の具体的機能について、図３〜図５を参照して説明する。図３はＯＶＦ光学像領域と実際に撮影される領域との関係を例示する説明図である。図４は被写体距離とパララックス量との関係を例示する説明図である。図５は表示部６１に表示されるメッセージを例示する説明図である。
【００４１】
デジタルカメラ１０では、上述したように、撮影光学系とファインダ装置１５とのパララックス（視差）に起因して、撮影光学系の画角がファインダ装置１５（光学ファインダ）の画角の周縁を跨ぐ場合がある。
【００４２】
例えば図３に示すように、光学ファインダ装置１５の画角に相当するＯＶＦ光学像領域Ａｏと、撮影光学系によって実際に撮影される領域Ａｐ（撮影光学系のが画角）との間にずれが生じると、（人物Ｚ１及びＺ２を撮影するという）撮影者の意図に反して、光学ファインダ装置１５で見えている被写体以外の被写体（人物Ｚ３）が撮影されてしまうことになる。
【００４３】
判定部３２ａは、撮影光学系の画角がファインダ装置１５の画角の周縁を跨ぐかどうかを判定する。判定部３２ａは、撮影光学系の画角がファインダ装置１５の画角の周縁を跨ぐ場合に、更に、撮影光学系の画角内であってファインダ装置１５の画角外となる外領域Ａｏｕｔに主要被写体があるか否かを、被写体検出部３２ｄの検出結果により判定する。
【００４４】
具体的には、先ず、判定部３２ａは、ファインダ装置１５によるＯＶＦ光学像領域Ａｏと、撮影光学系によって実際に撮影される領域Ａｐとの間のずれ量であるパララックス量を求める。
【００４５】
ここで、パララックス量は、図３に示すように、ＯＶＦ光学像領域Ａｏの左上角点Ｏ１と実際に撮影される領域Ａｐの左上角点Ｐ１との差分（ΔＸ１，ΔＹ１）、並びに、ＯＶＦ光学像領域Ａｏの右下角点Ｏ４と実際に撮影される領域Ａｐの右下角点Ｐ４との差分（ΔＸ２，ΔＹ２）で定義する。
【００４６】
また、パララックス量は、焦点の合っている被写体が遠方にあれば相対的に小さく、焦点の合っている被写体が近くにあれば相対的に大きくなり、撮影光学系及びファインダ装置１５の特性、並びに焦点の合っている被写体までの距離によって求めることができる。
【００４７】
したがって、図４に示されるような被写体距離とパララックス量との対応表を、予めシミュレーション実験等で求めておき、これをメモリ３６上に対応テーブルとして構成しておく。判定部３２ａは、この対応テーブルと、ＡＦ制御部３２ｃによって決定された合焦位置に基づく被写体までの距離とに基づき、パララックス量（ΔＸ１，ΔＹ１，ΔＸ２，ΔＹ２）を求める。
【００４８】
こうして求められたパララックス量（ΔＸ１，ΔＹ１，ΔＸ２，ΔＹ２）により、判定部３２ａは、ＯＶＦ光学像領域Ａｏと、実際に撮影される領域Ａｐとの相対位置関係を判定する。
【００４９】
判定部３２ａは、撮影光学系の画角がファインダ装置１５の画角の周縁を跨ぐと判定した場合に、実際に撮影される領域Ａｐ内であってＯＶＦ光学像領域Ａｏ外となる外領域Ａｏｕｔに主要被写体があるか否かを判定する。
【００５０】
例えば図３の例では、実際に撮影される領域Ａｐの内、右端から左方向にパララックス量ΔＸ２分の範囲の領域と，下端から上方向にパララックス量ΔＹ２分の範囲の領域と、で構成される外領域Ａｏｕｔに主要被写体があるか否かを判定することとなる。
【００５１】
制御部３２ｂは、判定部３２ａにより、外領域Ａｏｕｔに主要被写体があると判定された場合には、外領域Ａｏｕｔに主要被写体が撮影されることを報知する情報を所定の画像として表示部６１に表示させる。具体的には、制御部３２ｂは、図５に示すように、ＯＶＦ光学像領域Ａｏ上の任意の位置に「！ＯＶＦ外に人物が撮影されています」という警告メッセージＭ１を表示する。
【００５２】
図２の説明に戻り、デジタルカメラ１０は、ズームレンズ１３ａの駆動モータに駆動パルスを供給するモータドライバ４６と、フォーカスレンズ１３ｂの駆動モータに駆動パルスを供給するモータドライバ４７と、絞り２４の絞り制御を行う駆動モータに駆動信号を供給するモータドライバ４８と、ＯＶＦシャッタ６２の位置制御を行う駆動モータに駆動信号を供給するモータドライバ５３と、固体撮像素子２１ａに駆動タイミングパルスを供給するタイミングジェネレータ（ＴＧ）４９と、を備える。モータドライバ４６，４７，４８，５３及びＴＧ４９は、ＣＰＵ３２からの指令に基づいて動作する。また、ＣＤＳＡＭＰ２５ａもＣＰＵ３２からの指令に基づいて動作する。
【００５３】
次に、以上のように構成されたデジタルカメラ１０の撮影モード時の動作について説明する。以下では、ＯＶＦシャッタ６２は、撮影モード設定時には開状態になっているものとする。
【００５４】
図６は、図１に示すデジタルカメラ１０の撮影モード時の動作を説明するためのフローチャートである。
【００５５】
撮影モードに設定されると、まず、制御部３２ｂは、ＡＦの指示があったか否かを判定する（ステップＳ２１）。シャッターレリーズボタン１４が半押しされ、ＡＦの指示がなされると、ＡＦ制御部３２ｃによりＡＦ制御が行われ、判定部３２ａによりパララックス量の算出が行われる（ステップＳ２２）。
【００５６】
次に、判定部３２ａは、求めたパララックス量により、撮影光学系の画角がファインダ装置１５の画角の周縁を跨ぐか否かを判定する（ステップＳ２３）。ステップＳ２３の判定結果がＮＯのときはステップＳ２７に処理を移行する。一方、ステップＳ２３の判定結果がＹＥＳのとき、被写体検出部３２ｄにより、撮像画像信号に対して主要被写体の検出処理がなされる（ステップＳ２４）。図５の例では、人物の顔Ｚ１，Ｚ２及びＺ３が主要被写体として検出されることになる。
【００５７】
判定部３２ａは、ステップＳ２４の処理の結果から、実際に撮影される領域Ａｐ内であってＯＶＦ光学像領域Ａｏ外となる外領域Ａｏｕｔに主要被写体があるか否かを判定する（ステップＳ２５）。
【００５８】
外領域Ａｏｕｔに主要被写体があれば、制御部３２ｂは、外領域Ａｏｕｔに主要被写体が撮影されることを報知する情報（警告メッセージ）を所定の画像として表示部６１に表示させる（ステップＳ２６）。
【００５９】
例えば図５の例では、外領域Ａｏｕｔに主要被写体として人物の顔Ｚ３が存在すると判定され、「！ＯＶＦ外に人物が撮影されています」という警告メッセージＭ１が表示されることとなる。ステップＳ２５の判定結果がＮＯのときはステップＳ２７に処理が移行される。
【００６０】
ステップＳ２６の後、制御部３２ｂは、ステップＳ２７において撮影指示の有無を判定し、シャッターレリーズボタン１４が全押しされて撮影指示がなされた場合は撮像素子２１ａにより撮像を実施し、その撮像により得られる撮像画像データを記録媒体４２に記録して（ステップＳ２８）処理を終了する。なお、ステップＳ２６の処理の後、シャッターレリーズボタン１４の半押しが解除された場合は、制御部３２ｂにより表示部６１に表示中のメッセージがクリアされて、ステップＳ２１の処理が再び行われる。
【００６１】
以上説明したように、本実施形態のデジタルカメラ１０では、撮影光学系の画角がファインダ装置１５の画角の周縁を跨ぎ、かつ、実際に撮影される領域Ａｐ内であってＯＶＦ光学像領域Ａｏ外となる外領域Ａｏｕｔに主要被写体があると判定された場合には、制御部３２ｂにより、外領域Ａｏｕｔに主要被写体が撮影されることを報知する情報（警告メッセージ）を所定の画像として表示部６１に表示させる。
【００６２】
これにより、撮影者は、ファインダ装置１５で見えている被写体以外の被写体が実際に撮影される領域Ａｐに含まれているのを認識することができ、撮影の失敗を回避することができる。
【００６３】
なお、図６のフローチャートにおいて、ステップＳ２３：ＹＥＳのときにステップＳ２４，Ｓ２５を行わずに、ステップＳ２６に直接移行してもよい。このようにした場合は、警告メッセージとして、“ＯＶＦ外で撮影されている領域があります”といったものを表示させればよい。このようにしても、上述した効果を得ることができる。
【００６４】
〔変形例１−１〕
次に、第一実施形態の第一の変形例について、図７を参照して説明する。ここで、図７は表示部６１に表示される移動方向を示す情報を例示する説明図である。本変形例は、撮影光学系の画角がファインダ装置１５の画角の周縁を跨ぎ、かつ、外領域Ａｏｕｔに主要被写体があると判定された場合に、警告メッセージの他に、該外領域Ａｏｕｔにある主要被写体の識別情報も表示部６１に表示するものである。なお、第一実施形態と同様に、主要被写体を人物の顔とした場合、主要被写体の識別情報は氏名または名前となるが、主要被写体を物体等とした場合には、主要被写体の識別情報はその物体の名称等となる。
【００６５】
本変形例の実現には、被写体検出部３２ｄに顔認識機能が必要であり、予めメモリ３６上に構築される顔認識テーブルに、所定の登録ツールによって、氏名または名前と共に、顔画像及び該顔画像から特徴抽出された情報等が登録されていることが必要となる。
【００６６】
このような前提の下で、判定部３２ａにより、実際に撮影される領域Ａｐ内であってＯＶＦ光学像領域Ａｏ外となる外領域Ａｏｕｔに主要被写体があると判定されたとき、被写体検出部３２ｄの顔認識機能により顔認識テーブルとのパターンマッチング等を行って、外領域Ａｏｕｔにある主要被写体の氏名または名前を認識することができる。
【００６７】
図７の例では、外領域Ａｏｕｔにある主要被写体は人物の顔Ｚ３であり、該人物が「Ｆｕｊｉ  Ｔａｒｏｕ」であることが認識される。そして、制御部３２ｂにより、表示部６１のメッセージ表示領域Ｍ２に、「Ｆｕｊｉ  Ｔａｒｏｕ」に対応して登録されている顔画像と共に、「Ｆｕｊｉ  Ｔａｒｏｕさんが撮影されています」というメッセージが表示されることとなる。
【００６８】
これにより、撮影者は、ファインダ装置１５で見えている被写体以外の被写体が実際に撮影される領域Ａｐに含まれていることを認識できると共に、その被写体が誰であるかをも認識できる。
【００６９】
〔変形例１−２〕
次に、第一実施形態の第二の変形例について、図８を参照して説明する。ここで、図８は表示部６１に表示される情報を例示する説明図である。本変形例は、撮影光学系の画角がファインダ装置１５の画角の周縁を跨ぎ、かつ、外領域Ａｏｕｔに主要被写体があると判定された場合に、該外領域Ａｏｕｔの主要被写体をファインダ装置１５の画角内に入れるためのデジタルカメラ１０の移動方向を示す情報を表示部６１に表示するものである。
【００７０】
先ず、判定部３２ａは、パララックス量（ΔＸ１，ΔＹ１，ΔＸ２，ΔＹ２）に基づくＯＶＦ光学像領域Ａｏと実際に撮影される領域Ａｐとの相対位置関係から、外領域ＡｏｕｔがＯＶＦ光学像領域Ａｏの何れの辺に隣接しているかを判断する。
【００７１】
隣接辺が１つの場合には、ＯＶＦ光学像領域Ａｏの中心から該隣接辺に向かう方向が、デジタルカメラ１０を移動させるべき方向となる。また、隣接辺が２つある場合には、それら２つの隣接辺が交差して決まるＯＶＦ光学像領域Ａｏの角点を求め、該角点に関わる２つのパララックス量を見いだす。そして、見いだされた２つのパララックス量の絶対値の大小関係から、デジタルカメラ１０を移動させるべき方向を導く。
【００７２】
図３の例では、外領域ＡｏｕｔがＯＶＦ光学像領域Ａｏと隣接する辺は、右辺と下辺の２つであり、右辺と下辺が交差するのは右下角点であるから、判定部３２ａは、２つのパララックス量ΔＸ２及びΔＹ２の絶対値の大小比較を行う。その結果はΔＸ＞ΔＹ２であるので、外領域Ａｏｕｔの主要被写体をファインダ装置１５の画角内に入れるためのデジタルカメラ１０の移動方向は右方向となる。判定部３２ａによるこのような判定結果に基づき、制御部３２ｂでは、表示部６１のメッセージ表示領域Ｍ３に、方向を表す矢印と共に、「カメラを右にずらして下さい」というメッセージを表示することとなる。
【００７３】
これにより、撮影者は、ファインダ装置１５で見えている被写体以外の被写体が実際に撮影される領域Ａｐに含まれていることを認識できると共に、デジタルカメラ１０を何れの方向に移動させれば当該被写体がファインダ装置１５の画角内に入るかも認識することができる。また、このデジタルカメラ１０の移動方向を示す情報によって、撮影者が意図する撮影に至るまでの試行錯誤の回数を減らすこともできる。
【００７４】
なお、第一実施形態では、ＡＦ指示があったときにのみ図６のステップＳ２２〜Ｓ２６の処理を行うものとしたが、これに限らない。例えば、マニュアルによってフォーカス位置が予め設定されている場合には、撮影指示がなされるまでの間、ステップＳ２３〜Ｓ２６の処理を定期的に行うようにすればよい。
【００７５】
〔第二実施形態〕
次に、本発明の第二実施形態に係るデジタルカメラ１１について説明する。デジタルカメラ１１の外観は第一実施形態（図１参照）と同等である。また図９は、デジタルカメラ１１の内部ブロック構成図である。同図において、本実施形態のデジタルカメラ１１の内部構成は、第一実施形態に変倍レンズ６４及びモータドライバ５４を付加した構成であり、第一実施形態と同等の構成要素については同一参照符号を付して説明を省略する。
【００７６】
変倍レンズ６４は、ファインダ装置１５に含まれ、ファインダ装置１５の光路上に挿入及び抜去可能に設けられている。変倍レンズ６４は、ファインダ装置１５の焦点距離（ファインダ倍率）を変更するためのものである。なお、変倍レンズ６４は、図９の例では、被写体側ファインダ窓１６よりも内側に設けられているが、被写体側ファインダ窓１６の外側に設けられていてもよい。つまり、ファインダ装置１５の光路とは、ファインダ装置１５の入射光軸Ｌに沿って形成される光路のことを意味し、ファインダ装置１５内部の光路に限らず、ファインダ装置１５外部の光路も含まれる。
【００７７】
モータドライバ５４は、ＣＰＵ３２からの指令に基づき動作し、変倍レンズ６４の位置制御を行う駆動機構であるアクチュエータに含まれる駆動モータに駆動信号を供給する。
【００７８】
デジタルカメラ１１は、第一実施形態と同様に、ＣＰＵ３２に判定部３２ａ、制御部３２ｂ、ＡＦ制御部３２ｃ、及び被写体検出部３２ｄを備えるが、制御部３２ｂには第一実施形態とは異なる機能が付加されている。すなわち、制御部３２ｂは、撮影光学系の画角がファインダ装置１５の画角の周縁を跨ぎ、かつ、外領域に主要被写体があると判定された場合に、変倍レンズ６４の位置を制御して、ファインダ装置１５の画角を拡大させる制御を行う。
【００７９】
具体的には、制御部３２ｂは、パララックス量ΔＸ２，ΔＹ２のそれぞれに応じて予め設定される縮小倍率を参照し、両者の比較により小さい方の縮小倍率をファインダ倍率として求める。そして、モータドライバ５４を介した変倍レンズ６４の位置制御を行うことによって、そのファインダ倍率に設定し、ファインダ装置１５の画角を拡大させる。
【００８０】
図１０は、パララックス量ΔＸ２，ΔＹ２に応じて設定される縮小倍率を例示する説明図である。ファインダ倍率を小さくすることによりファインダ装置１５の画角を大きくすることができるので、パララックス量がゼロのときを１とした縮小倍率が設定されている。図１０に示されるようなパララックス量とファインダ倍率（縮小倍率）との対応表を、予めシミュレーション実験等で求めておき、これをメモリ３６上にファインダ倍率テーブルとして構成しておく。
【００８１】
次に、以上のように構成されたデジタルカメラ１１の撮影モード時の動作について説明する。以下では、ＯＶＦシャッタ６２は、撮影モード設定時には開状態になっているものとする。図１１は、デジタルカメラ１１の撮影モード時の動作を説明するためのフローチャートであり、図１２はＯＶＦ光学像領域と実際に撮影される領域との関係を例示する説明図である。図１１において、図６と同じ処理には同一符号を付して説明を省略する。
【００８２】
ステップＳ２５の判定がＹＥＳのとき、制御部３２ｂは、メモリ３６内のファインダ倍率テーブルを参照し、パララックス量ΔＸ２，ΔＹ２のそれぞれに応じた縮小倍率を求める（ステップＳ３１）。そして、制御部３２ｂは、両者の比較により小さい方の縮小倍率をファインダ倍率として求め、モータドライバ５４を介した変倍レンズ６４の挿抜制御を行うことによって、そのファインダ倍率に設定し、ファインダ装置１５の画角を拡大させる（ステップＳ３２）。
【００８３】
ステップＳ２５の判定がＮＯであれば、制御部３２ｂは、ＡＦ指示の直前の時点でのファインダ倍率を維持したままステップＳ３３に進む。
【００８４】
ステップＳ３３では、制御部３２ｂが撮影指示の有無を判定する。撮影指示がない場合、制御部３２ｂは、ＡＦ指示の解除がなされたかどうかを判定し（ステップＳ３６）、ＡＦ指示が解除された場合には、ステップＳ３５に進み、ＡＦ指示が解除されない場合には、ステップＳ３３に戻る。
【００８５】
撮影指示がなされた場合（ステップＳ３３：ＹＥＳ）、制御部３２ｂは、撮像素子２１ａにより撮像を実施し、その撮像により得られる撮像画像データを記録媒体４２に記録する（ステップＳ３４）。ステップＳ３４の後、制御部３２ｂは、現シーケンスにおけるＡＦ指示の判定の直前のファインダ倍率に設定を戻し（ステップＳ３５）、その後ステップＳ２１に戻り、次回のシーケンスに移行する。
【００８６】
以上説明したように、本実施形態のデジタルカメラ１１では、判定部３２ａによって外領域Ａｏｕｔに主要被写体があると判定された場合には、制御部３２ｂにより、変倍レンズ６４の位置を制御して、ファインダ装置１５の画角を拡大させる制御を行う。
【００８７】
例えば、図１２に示すように、外領域Ａｏｕｔに主要被写体がある場合には、パララックス量に応じた縮小倍率に基づき変倍レンズ６４の位置を制御して、ファインダ装置１５の画角を拡大させるので、ＯＶＦ光学像領域Ａｏは変倍後のＯＶＦ光学像領域Ａｏｖとなる。その結果、実際に撮影される領域Ａｐのほぼ全域がファインダ装置１５で視認できるようになり、撮影者の意図しない撮影を回避することができる。
【００８８】
なお、第二実施形態の説明では、デジタルカメラ１１のファインダ装置１５に含まれる変倍レンズ６４を１つとしているが、ファインダ装置１５は変倍レンズ６４を複数個有し、これらを切替えて挿入できるものであってもよい。
【００８９】
また、第二実施形態の説明では、デジタルカメラ１１のファインダ装置１５に含まれる変倍レンズ６４を挿抜制御することで、ファインダ倍率の変更を行っているが、変倍レンズ６４を光軸方向に移動させることでファインダ倍率の変更を行ってもよい。
【００９０】
また、第二実施形態の説明では、デジタルカメラ１１のファインダ装置１５が表示部６１を含むものとしているが、この表示部６１は省略してもよい。
【００９１】
また、図１１のフローチャートにおけるステップＳ２２〜Ｓ３２の処理は、ＡＦ指示の有無に関わらずに定期的に実行するものとしてもよい。
【００９２】
〔第三実施形態〕
次に、本発明の第三実施形態に係るデジタルカメラについて説明する。本実施形態のデジタルカメラの構成は、第一実施形態の構成を用いる。図１３は、第三実施形態のデジタルカメラの表示部６１に表示される実際の撮影領域Ａｐの枠を例示する説明図である。本実施形態のデジタルカメラは、撮影光学系の画角がファインダ装置１５の画角の周縁を跨ぎ、かつ、外領域Ａｏｕｔに主要被写体があると判定された場合に、制御部３２ｂが、撮影光学系の画角を示す枠、即ち実際に撮影される領域Ａｐの枠を表示部６１に表示するものである。
【００９３】
図１３に示すように、制御部３２ｂにより、実際に撮影される領域Ａｐに枠Ｆｐを付加して、表示部６１に表示させることにより、パララックス（視差）の状況をより分かり易く撮影者に報せることができる。なお、制御部３２ｂは、撮影光学系の画角がファインダ装置１５の画角の周縁を跨ぐと判定された時点で、外領域における主要被写体の有無に関わらず、図１３に示す枠Ｆｐを表示させるようにしてもよい。
【００９４】
〔第四実施形態〕
次に、本発明の第四実施形態に係るデジタルカメラについて説明する。本実施形態のデジタルカメラの構成は、第一実施形態及び第二実施形態の何れの構成を用いても良い。
【００９５】
本実施形態のデジタルカメラの撮影モード時の動作について、図１４及び図１５を参照して説明する。図１４は、第四実施形態のデジタルカメラの撮影モード時の動作を説明するためのフローチャートであり、図１５は、パララックス量が大きいときの最終的に記録される領域を例示する説明図である。
【００９６】
撮影モードに設定され、ＡＦ指示が行われると、ＡＦ制御部３２ｃはＡＦ制御を行う。
【００９７】
次に、制御部３２ｂが撮影指示の有無を判定し（ステップＳ４２）、撮影指示があった場合は、撮像素子２１ａにより撮像を行う（ステップＳ４３）。この撮像が終わると、撮像素子２１ａから出力される撮像画像信号から撮像画像データが生成され、この撮像画像データがメモリ３６に一時記憶される。
【００９８】
次に、判定部３２ａが、ＡＦ制御によって決定された合焦位置に基づく被写体距離からパララックス量を算出し（ステップＳ４４）、算出したパララックス量に基づいて、ステップＳ４３の撮像時において、撮影光学系の画角Ａｏがファインダ装置１５の画角Ａｐの周縁を跨いでいたか否かを判定する（ステップＳ４５）。
【００９９】
ステップＳ４５の判定がＮＯの場合、制御部３２ｂは、メモリ３６に一時記憶した撮像画像データをそのまま記録媒体４２に記録して（ステップＳ４９）、処理を終了する。
【０１００】
ステップＳ４５の判定がＹＥＳの場合、制御部３２ｂは、撮影光学系の画角のうちファインダ装置１５の画角と重なる部分を抽出する。具体的には、光学ファインダ装置１５によるＯＶＦ光学像領域Ａｏと、撮影光学系によって実際に撮像される領域Ａｐとが重なる領域を算出する（ステップＳ４６）。
【０１０１】
次に、制御部３２ｂは、メモリ３６に一時記憶した撮像画像データから、ＯＶＦ光学像領域Ａｏと実際に撮像される領域Ａｐとが重なる領域部分を切り出す（ステップＳ４７）。そして、制御部３２ｂは、切り出した画像データを加工（サイズ調整）し、加工後の画像データを記録媒体４２に記録して（ステップＳ４８）、処理を終了する。
【０１０２】
以上説明したように、本実施形態のデジタルカメラでは、固体撮像素子２１ａにより撮像を行って撮像画像データを記録媒体４２に記録する撮影指示がなされるとき、撮影光学系の画角Ａｏがファインダ装置１５の画角Ａｐの周縁を跨いでいる場合には、制御部３２ｂにより、撮影光学系の画角のうちファインダ装置１５の画角と重なる撮像画像データを記録媒体４２に記録させる。
【０１０３】
例えば、図１５に示すように、撮影光学系の画角がファインダ装置１５の画角からはみ出して、外領域Ａｏｕｔに主要被写体があるような場合でも、実際に撮像される領域Ａｐについての撮像画像データから、ＯＶＦ光学像領域Ａｏと実際に撮像される領域Ａｐとが重なる領域部分を切り出して記録するので、撮影者から見えていない領域が撮像画像に含まれることなく、撮影者は自分の意図した撮影結果を得ることができる。
【０１０４】
なお、本実施形態は、第一実施形態〜第三実施形態の何れの構成を用いても良いとしたが、第一実施形態〜第三実施形態における表示部６１，並びに、第二実施形態における変倍レンズ６４が無い構成であっても、本実施形態を実現することが可能である。
【０１０５】
以上説明したように、本明細書には以下の事項が開示されている。
【０１０６】
開示された撮像装置は、撮影光学系と、前記撮影光学系を介して撮像を行う撮像素子と、前記撮影光学系とは異なる光学系を介して被写体を観察可能なファインダ装置と、を有する撮像装置であって、前記撮像素子により撮像される被写体までの距離に基づいて、前記撮影光学系の画角が前記ファインダ装置の画角の周縁を跨ぐか否かを少なくとも判定する判定部と、前記判定部の判定結果に応じて前記撮像装置の動作を制御する制御部と、を備えるものである。
【０１０７】
開示された撮像装置は、前記ファインダ装置は、画像を表示する表示部を含み、被写体側ファインダ窓から入射し前記異なる光学系を介して接眼窓に入射する光像と前記表示部に表示される画像とが重畳された像を前記接眼窓から観察可能に構成されたものであり、前記制御部は、前記撮影光学系の画角が前記ファインダ装置の画角の周縁を跨ぐ場合に、前記表示部に所定の画像を表示させる制御を行うものである。
【０１０８】
開示された撮像装置は、前記判定部は、前記撮影光学系の画角が前記ファインダ装置の画角の周縁を跨ぐ場合に、更に前記撮影光学系の画角内であって前記ファインダ装置の画角外となる外領域に主要被写体があるか否かを判定し、前記制御部は、前記撮影光学系の画角が前記ファインダ装置の画角の周縁を跨ぎ、かつ、前記外領域に主要被写体があると判定された場合に、前記外領域にある主要被写体が撮影されることを報知する情報を前記所定の画像として前記表示部に表示させるものである。
【０１０９】
開示された撮像装置は、前記外領域にある主要被写体が撮影されることを報知する情報は、前記外領域にある主要被写体の識別情報を含むものである。
【０１１０】
開示された撮像装置は、前記判定部は、前記撮影光学系の画角が前記ファインダ装置の画角の周縁を跨ぐ場合に、更に前記撮影光学系の画角内であって前記ファインダ装置の画角外となる外領域に主要被写体があるか否かを判定し、前記制御部は、前記撮影光学系の画角が前記ファインダ装置の画角の周縁を跨ぎ、かつ、前記外領域に主要被写体があると判定された場合に、前記外領域の主要被写体を前記ファインダ装置の画角内に入れるための前記撮像装置の移動方向を示す情報を前記所定の画像として前記表示部に表示させるものである。
【０１１１】
開示された撮像装置は、前記ファインダ装置は、前記ファインダ装置の光学系の画角を変更する変倍レンズを含むものであり、前記判定部は、前記撮影光学系の画角が前記ファインダ装置の画角の周縁を跨ぐ場合に、更に前記撮影光学系の画角内であって前記ファインダ装置の画角外となる外領域に主要被写体があるか否かを判定し、前記制御部は、前記撮影光学系の画角が前記ファインダ装置の画角の周縁を跨ぎ、かつ、前記外領域に主要被写体があると判定された場合に、前記変倍レンズの位置を制御して、前記ファインダ装置の画角を拡大させる制御を行うものである。
【０１１２】
開示された撮像装置は、前記判定部は、前記撮影光学系の画角が前記ファインダ装置の画角の周縁を跨ぐ場合に、更に前記前記撮影光学系の画角内であって前記ファインダ装置の画角外となる外領域に主要被写体があるか否かを判定し、前記制御部は、前記撮影光学系の画角が前記ファインダ装置の画角の周縁を跨ぎ、かつ、前記外領域に主要被写体があると判定された場合に、前記撮影光学系の画角を示す枠を前記所定の画像として前記表示部に表示させるものである。
【０１１３】
開示された撮像装置は、前記制御部は、前記撮影光学系の画角が前記ファインダ装置の画角の周縁を跨ぐ場合において、前記撮像素子により撮像を行って撮像画像データを記録媒体に記録する指示がなされたとき、前記撮影光学系の画角のうち前記ファインダ装置の画角と重なる部分を撮像して得られる撮像画像データを前記記録媒体に記録させるものである。
【０１１４】
開示された撮像装置は、自動焦点調節の指示があったときにのみ、前記判定部を動作させるものである。
【０１１５】
開示された撮像装置の制御方法は、撮影光学系と、前記撮影光学系を介して撮像を行う撮像素子と、前記撮影光学系とは異なる光学系を介して被写体を観察可能なファインダ装置と、を有する撮像装置の制御方法であって、前記撮像素子により撮像される被写体までの距離に基づいて、前記撮影光学系の画角が前記ファインダ装置の画角の周縁を跨ぐか否かを少なくとも判定する判定ステップと、前記判定ステップの判定結果に応じて前記撮像装置の動作を制御する制御ステップと、を備え、前記ファインダ装置は、画像を表示する表示部を含み、被写体側ファインダ窓から入射し前記異なる光学系を介して接眼窓に入射する光像と前記表示部に表示される画像とが重畳された像を前記接眼窓から観察可能に構成されたものであり、前記制御ステップでは、前記撮影光学系の画角が前記ファインダ装置の画角の周縁を跨ぐ場合に、前記表示部に所定の画像を表示させる制御を行うものである。
【符号の説明】
【０１１６】
１０，１１  デジタルカメラ
１５  ファインダ装置
１６  被写体側ファインダ窓
１７  接眼窓
３２  ＣＰＵ
３２ａ  判定部
３２ｂ  制御部
３４ｃ  被写体検出部
３４ｄ  ＡＦ制御部
５３，５４  ドライバ
６１  表示部
６２  ＯＶＦシャッタ
６４  変倍レンズ
【図１】
2013117608.tif 000003
【図２】
2013117608.tif 000004
【図３】
2013117608.tif 000005
【図４】
2013117608.tif 000006
【図５】
2013117608.tif 000007
【図６】
2013117608.tif 000008
【図７】
2013117608.tif 000009
【図８】
2013117608.tif 000010
【図９】
2013117608.tif 000011
【図１０】
2013117608.tif 000012
【図１１】
2013117608.tif 000013
【図１２】
2013117608.tif 000014
【図１３】
2013117608.tif 000015
【図１４】
2013117608.tif 000016
【図１５】
2013117608.tif 000017